【事件の表示】
　平成７年特許願第２２３４１９号「コーナーバルコニユニットおよびその取付方法」拒絶査定不服審判事件〔平成９年３月１１日出願公開、特開平９−６７８５５〕について、次のとおり審決する。
【結　論】
　本件審判の請求は、成り立たない。
【理　由】
【１】手続の経緯
　本願は、平成７年８月３１日の出願であって、平成１６年５月２５日付で拒絶査定がなされ、これに対し、平成１６年７月１日に拒絶査定に対する審判請求がなされるとともに、同年７月２０日付で手続補正がなされた。
　
【２】平成１６年７月２０日付の手続補正についての補正却下の決定
［補正却下の決定の結論］
　平成１６年７月２０日付の手続補正（以下、「本件補正」という。）を却下する。
［理由］
（１）本件補正
　本件補正は、特許請求の範囲を次のとおりに補正することを含むものである。
「【請求項１】建物の二つの外壁が交差する角部に沿って、この外壁に対して取り付けられる平面Ｌ字型状のバルコニを形成するコーナーバルコニユニットであって、
　前記二つの外壁のうち一方の外壁に取付けられる第１のバルコニユニットと、前記二つの外壁のうちの他方の外壁に取付けられる第２のバルコニユニットとを備え、
　前記第１のバルコニユニットは、その一端縁が前記他方の外壁表面の延長線と一致する位置に固定され、
　前記第２のバルコニユニットは、その一端縁に設けられる軸組材と、前記軸組材の先端部に設けられて前記第１のバルコニユニットと当接するとともに前記軸組材の軸方向に交差する方向に延出部を有したエンドプレートと、前記エンドプレートの前記延出部と前記軸組材とを連結する補強プレートとを備え、
　前記第１のバルコニユニットの前記端縁と前記他方の外壁とにまたがって、前記第１のバルコニユニットの前記一端縁が前記延出部にボルト接合されて固定され、
　前記建物は、柱および梁を直方体状に組んで形成された骨組みを有する複数の建物ユニットを組み合わせて建築されたユニット式建物であり、この建物の前記骨組みには、前記第１および第２のバルコニユニットがボルト接合される被接合部が設けられ、
　前記被接合部には、水平にかつ直交して突出する２本の位置決めピンが設けられ、前記第１および第２のバルコニユニットの各々には、前記位置決めピンを挿通させる位置決め孔が前記被接合部と接合される接合部に設けられていることを特徴とするコーナーバルコニユニット。」（以下、「補正発明」という。）
　上記補正は、特許請求の範囲の減縮を目的とするものであるから、上記補正発明が、その特許出願の際独立して特許を受けることができるものであるかについて、以下に検討する。
　
（２）引用刊行物
　原査定の拒絶の理由で引用された、特開平３−５５３５号公報（以下、「刊行物１」という。）には、以下の記載がある。
　「（産業上の利用分野）
　本発明は、ユニット建物等に用いるバルコニーユニットの連結構造に関する。」（１頁左欄１５〜１６行）
　「まず、第１図〜第７図に基づいて実施例の構成を説明する。
　第１図は、部屋ユニット１と、該部屋ユニット１の桁側に隣接して設けられる桁側バルコニーユニット２と、前記部屋ユニット１の妻側に隣接して設けられる妻側バルコニーユニット３の連結構造を示す斜視図である。
　部屋ユニット１は、柱１１と梁１２と外壁材１３を備えた箱型ユニットである。
　柱１１はユニットの四隅に立設されており、梁１２は柱１１の上端部及び下端部にジョイント金具１４を介して固定されている。……。
　また、前記柱１１には中空状の形鋼が用いられており、柱１１の側面のうち、外壁材１３が固定されている側面の上端部にはボルト穴１１１が上下に二個形成されている。……。
　桁側バルコニーユニット２は、第２図に示すように、柱２１ａ……、胴縁２２ａ……、梁２３ａ……、小梁２４……、小梁受材２５……、補強金具２６……、外壁材２７、穴付ブラケット２８……で構成されている。」（２頁左下欄１３行〜３頁左上欄４行）
　「妻側バルコニーユニット３は、第３図に示すように、柱３１ａ……、胴縁３２ａ……、梁３３ａ……３３ｅ、補強金具３４……、外壁材３５、穴付ブラケット３６、切欠付ブラケット３７で構成されている。」（３頁右上欄１４〜２０行）
　「次に、第４図〜第７図に基づいて実施例の作用を説明する。
　部屋ユニット１と桁側バルコニーユニット２及び妻側バルコニーユニット３を連結する際の施工手順について説明する。
　まず、部屋ユニット１を基礎（図示省略）に据え付け、隣接する部屋ユニット１，１同士を連結する。そして、第４図に示すようにバルコニーが連結される部屋ユニット１の柱１１の上端面に連結ピン４を取り付ける。……。
　次に、桁側バルコニーユニット２をクレーン等で吊り上げて前記部屋ユニット１の桁側隣に移動させ、その部屋ユニット１の柱１１の上端面に、桁側バルコニーユニット２に固定された穴付ブラケット２８の横板部２８２を載せる。この時、横板部２８２に形成されているボルト穴２８４に前記連結ピン４を挿入させるようにすると、桁側バルコニーユニット２は連結ピン４がガイドになって所定位置に位置合せされる。……。
　このように部屋ユニット１と桁側バルコニーユニット２の位置合せを行った後、第４図に示すように、穴付ブラケット２８を、縦板部２８１のボルト穴２８３で部屋ユニット１の柱１１の上端部側面にボルト締めによって固定する。……。
　次に、妻側バルコニーユニット３をクレーン等で吊り上げて前記部屋ユニット１の妻側隣に移動させ、穴付ブラケット３６と切欠付ブラケット３７を部屋ユニット１の柱１１に固定させる。……。
　一方、切欠付ブラケット３７は前記桁側バルコニーユニット２と共通の柱１１に固定する。即ち、まず、第５図に示すように、桁側バルコニーユニット２に固定された穴付ブラケット２８の横板部２８２の上に切欠付ブラケット３７の横板部３７２を載せる。この時、切欠付ブラケット３７の横板部３７２に形成されている切欠部３７４に連結ピン４を挿入させるようにすると、妻側バルコニーユニット３は連結ピン４がガイドになって所定位置に位置合せされる。……。
　このように部屋ユニット１と妻側バルコニーユニット３の位置合せを行った後、切欠付ブラケット３７を、縦板部３７１のボルト穴３７３で部屋ユニット１の柱１１の上端部側面にボルト締めによって固定する。」（４頁左上欄１行〜右下欄３行）
　そして、上記記載を含む明細書全体及び各図の記載からみて、刊行物１には、次のＡ，Ｂの事項が開示されていることが、当業者に明らかである。
　Ａ：バルコニーは、建物の二つの外壁が交差する角部に沿って、桁側バルコニーユニット２と妻側バルコニーユニット３とにより平面Ｌ字型状に形成されている。
　Ｂ：桁側バルコニーユニット２は、その一端縁が該ユニット２が取付けられる壁と直交する壁の表面の延長線と一致する位置に固定されている。
　したがって、刊行物１には以下の発明が記載されていると認められる。
「建物の二つの外壁が交差する角部に沿って、この外壁に対して取り付けられる平面Ｌ字型状のバルコニーを形成するコーナーバルコニーユニットであって、
　前記二つの外壁のうち一方の外壁に取付けられる桁側バルコニーユニット２と、前記二つの外壁のうちの他方の外壁に取付けられる妻側バルコニーユニット３とを備え、
　桁側バルコニーユニット２は、その一端縁が前記他方の外壁表面の延長線と一致する位置に固定され、
　妻側バルコニーユニット３は、その一端縁に梁３３ｅを備え、
　前記建物は、柱１１および梁１２を直方体状に組んで形成された骨組みを有する複数の部屋ユニット１を組み合わせて建築されたユニット式建物であり、この柱１１の上端側面には、前記桁側および妻側のバルコニーユニット２，３をボルト接合するボルト穴１１１が形成されている、コーナーバルコニーユニット。」
　
　同じく、原査定の拒絶の理由で引用された、特開平３−２３３０３６号公報（以下、「刊行物２」という。）には、以下の記載がある。
　「本発明は、バルコニーを建物に位置決めして取り付ける際に使用される位置決めピンに関する。」（１頁左欄下から２〜１行）
　「本発明に係るバルコニーの位置決めピンは、建物側のエンドプレートに突設され、この建物側のエンドプレートにボルト、ナット結合されるバルコニー側のエンドプレートの孔に挿入されてバルコニーを前記建物に対して位置決めするためのバルコニーの位置決めピン」（２頁右上欄下から４行〜左下欄２行）
　
　また、原査定において、周知技術の一例として提示された、実願平３−４４５２０号（実開平４−１３７１０１号）のマイクロフィルム（以下、「周知例」という。）には、以下の記載がある。
　「【０００１】【産業上の利用分野】この考案は、バルコニーの片持梁取付構造に関するものである。」
　「【０００７】【実施例】この考案の一実施例のバルコニーの片持梁取付構造を図１ないし図６に基づいて説明する。１は外壁で、内側にラチス梁等の架構体２が配置される。３はバルコニーを支持する片持梁で、外壁１に形成した開口部４を貫通して架構体２に固着される。……。
　【０００８】片持梁３は、図２ないし図６に示すように、Ｉ形鋼で形成され基端部にエンドプレート６が溶接してある。このエンドプレート６は、図４に示すように、下部が下側のフランジ１２よりも下方に延出するような形状であって、下部の中央部と下側のフランジ１２が補強プレート７で溶接される。この補強プレート７およびウエブ８を挟んで両側にボルト挿通孔９…が穿孔される（図４）。」
　「【００１０】つぎに、片持梁３の取付手順について説明する。片持梁３のエンドプレート６を架構体２にボルト挿通孔９に挿通されるボルト２２で固着する。」
　
（３）対比・判断
　補正発明と、上記刊行物１記載の発明とを対比すると、刊行物１記載の発明の「桁側バルコニーユニット２」、「妻側バルコニーユニット３」、「（妻側バルコニーユニット３の一端縁の）梁３３ｅ」、「部屋ユニット」、及び「（ボルト穴１１１が形成された）柱１１の上端側面」は、補正発明の「第１のバルコニユニット」、「第２のバルコニユニット」、「（第２のバルコニユニットの一端縁に設けられる）軸組材」、「建物ユニット」、及び「被接合部」にそれぞれ相当するから、両者は、
　「建物の二つの外壁が交差する角部に沿って、この外壁に対して取り付けられる平面Ｌ字型状のバルコニを形成するコーナーバルコニユニットであって、
　前記二つの外壁のうち一方の外壁に取付けられる第１のバルコニユニットと、前記二つの外壁のうちの他方の外壁に取付けられる第２のバルコニユニットとを備え、
　前記第１のバルコニユニットは、その一端縁が前記他方の外壁表面の延長線と一致する位置に固定され、
　前記第２のバルコニユニットは、その一端縁に設けられる軸組材を備え、
　前記建物は、柱および梁を直方体状に組んで形成された骨組みを有する複数の建物ユニットを組み合わせて建築されたユニット式建物であり、この建物の前記骨組みには、前記第１および第２のバルコニユニットがボルト接合される被接合部が設けられている、コーナーバルコニユニット。」
の点で一致し、以下の点で相違している。
　
　相違点１：補正発明は、第２のバルコニユニットの一端縁の軸組材の先端部に設けられて第１のバルコニユニットと当接するとともに前記軸組材の軸方向に交差する方向に延出部を有したエンドプレートと、前記エンドプレートの前記延出部と前記軸組材とを連結する補強プレートとを備え、前記第１のバルコニユニットの前記端縁と前記他方の外壁とにまたがって、前記第１のバルコニユニットの前記一端縁が前記延出部にボルト接合されて固定されているのに対し、刊行物１記載の発明は、そのような延出部を有したエンドプレートを備えておらず、二つのバルコニユニットがボルトにより接合固定されているかどうか不明な点
　相違点２：補正発明は、骨組みにおける被接合部に水平にかつ直交して突出する２本の位置決めピンが設けられ、第１および第２のバルコニユニットの各々には、前記位置決めピンを挿通させる位置決め孔が前記被接合部と接合される接合部に設けられているのに対し、刊行物１記載の発明は、そのような位置決めピン及び位置決め孔が設けられていない点
　
　上記各相違点について検討する。
　
＜相違点１について＞
　刊行物１には、２つのバルコニーユニット相互を接続固定することについては何ら記載されていないが、該ユニット相互の相対的変位を防止したり、全体としての強度を高めること等を目的として、該ユニット相互を連結固定することは、当業者が当然配慮する事項にすぎない。
　そして、上記周知例にみられるとおり、一方の部材の端部に、一側に延出するようにエンドプレートを設け、該部材とエンドプレートとを補強プレートを設けて補強すると共に、エンドプレートにおける上記延出する部分にボルト挿通孔を設け、この一方の部材のエンドプレートを他方の部材に当接してボルトにより接合固定することが従来周知の技術である以上、このような周知技術に基づき、相違点１として摘記した補正発明の構成を当業者が想起することには格別困難性が認められず、当業者が必要に応じ適宜なし得る設計的事項にすぎない。
　
＜相違点２について＞
　刊行物２には、上記のとおり、バルコニーを建物に取り付ける際の位置決め手段として、建物側のエンドプレート（補正発明の「被接合部」に相当。以下、同様。）から位置決めピンを突設し、この位置決めピンをバルコニー側のエンドプレート（「接合部」）の孔に挿入して位置決めすることが記載されており、これに基づき相違点２として摘記した補正発明の構成を当業者が想起する点には何らの困難性も認められない。
　
　そして、補正発明が奏する作用効果も、当業者が予期し得る程度のものであって、格別のものとはいえない。
　
　したがって、補正発明は、上記刊行物１，２に記載された発明及び周知技術に基いて当業者が容易に発明をすることができたものであるから、特許法第２９条第２項の規定によりその特許出願の際独立して特許を受けることができないものである。
　
　以上のように、本件補正は、特許法第１７条の２第５項において準用する同法第１２６条第５項の規定に違反するから、同法第１５９条第１項において読み替えて準用する同法第５３条第１項の規定により却下すべきものである。
　よって、上記［補正却下の決定の結論］のとおり、決定する。
　
【３】本願発明について
（１）本願発明
　本願の各請求項に係る発明は、平成１６年７月２０日付手続補正が上記のとおり却下されたので、平成１６年４月１２日付手続補正書により補正された明細書、及び、図面の記載からみて、その特許請求の範囲の請求項１〜４に記載された事項により特定されるとおりの次のものと認める。
「【請求項１】建物の二つの外壁が交差する角部に沿って、この外壁に対して取り付けられる平面Ｌ字型状のバルコニを形成するコーナーバルコニユニットであって、
　前記二つの外壁のうちの一方の外壁に取付けられる第１のバルコニユニットと、前記二つの外壁のうちの他方の外壁に取付けられる第２のバルコニユニットとを備え、
　前記第１のバルコニユニットは、その一端縁が前記他方の外壁表面の延長線と一致する位置に固定され、
　前記第２のバルコニユニットは、
　その一端縁に設けられる軸組材と、前記軸組材の先端部に設けられて前記第１のバルコニユニットと当接するとともに前記軸組材の軸方向に交差する方向に延出する延出部を有したエンドプレートと、前記エンドプレートの前記延出部と前記軸組材とを連結する補強プレートとを備え、
　前記第１のバルコニユニットの前記端縁と前記他方の外壁とにまたがって、前記第１のバルコニユニットの前記一端縁が前記延出部にボルト接合されて固定される
　ことを特徴とするコーナーバルコニユニット。
　【請求項２】請求項１に記載のコーナーバルコニユニットにおいて、前記建物は、柱および梁を直方体状に組んで形成された骨組みを有する複数の建物ユニットを組み合わせて建築されたユニット式建物であり、この建物の前記骨組みには、前記第１および第２のバルコニユニットがボルト接合される被接合部が設けられていることを特徴とするコーナーバルコニユニット。
　【請求項３】請求項２に記載のコーナーバルコニユニットにおいて、前記被接合部には、水平に突出する位置決めピンが設けられ、前記第１および第２のバルコニユニットの各々には、前記位置決めピンを挿通させる位置決め孔が前記被接合部と接合される接合部が設けられていることを特徴とするコーナーバルコニユニット。
　【請求項４】（記載を省略）」
　（以下、
請求項３
　
（２）引用刊行物
　これに対し、原査定の拒絶の理由で引用された各刊行物、及び、その記載事項は、上記【２】（２）に記載したとおりである。
　
（３）対比・判断
　本願発明は、上記【２】で検討した補正発明と実質的に同一である。
　そうすると、補正発明が上記【２】（３）に記載したとおり、刊行物１，２に記載された発明及び周知技術に基いて当業者が容易に発明をすることができたものであるから、本願発明も、同様の理由により、刊行物１，２に記載された発明及び周知技術に基いて当業者が容易に発明をすることができたものであり、特許法第２９条第２項の規定により特許を受けることができないから、他の請求項に係る発明について検討するまでもなく、本願は、拒絶すべきものである。
　よって、結論のとおり審決する。